(57)【要約】【課題】相手側機器との間で安定したデータ転送を行うことができる電子機器を提供する。【解決手段】本発明に係わる電子機器は、相手側機器の通信面に接近させることにより、当該相手側機器との間でデータの送受信が可能なカメラであって、筺体（１２）の主面側に設けられた突起部と、相手側機器の通信面に対して前記主面を対向させて前記筺体を接触させたときに、前記筺体が前記通信面に対して遊動しないように支持する支持部と、前記支持部に配置された、前記相手側機器との通信用のアンテナとを備える。【選択図】図１
2011114771.tif 000002
【特許請求の範囲】
【請求項１】
相手側機器の通信面に接近させることにより、当該相手側機器との間でデータの送受信が可能な電子機器であって、
筺体の主面側に設けられた突起部と、
前記相手側機器の通信面に対して前記主面を対向させて前記筺体を接触させたときに、前記筺体が前記通信面に対して遊動しないように支持する支持部と、
前記支持部に配置された、前記相手側機器との通信用のアンテナと、
を備えることを特徴とする電子機器。
【請求項２】
請求項１に記載の電子機器であって、
前記相手側機器の前記通信面に対して前記主面を対向させて前記筺体を接触させたときに、前記支持部により、前記筺体が前記相手側機器の前記通信面と略平行に支持されることを特徴とする電子機器。
【請求項３】
請求項１又は２に記載の電子機器であって、
前記相手側機器の前記通信面に対して前記主面を対向させて前記筺体を接触させたときに、前記支持部と前記突起部とにより前記筺体が前記通信面に対して遊動しないように支持されることを特徴とする電子機器。
【請求項４】
請求項１乃至のいずれか一項に記載の電子機器であって、
前記相手側機器の前記通信面に対して前記主面を対向させて前記筺体を接触させたときに、前記相手側機器の前記通信面と接触する領域の少なくとも一部に座面を設けたことを特徴とする電子機器。
【請求項５】
請求項４に記載の電子機器であって、
前記座面は、前記突起部と前記支持部とにそれぞれ設けられていることを特徴とする電子機器。
【請求項６】
請求項１乃至５のいずれか一項に記載の電子機器であって、
前記アンテナは、前記相手側機器の前記通信面に対して前記主面を対向させて前記筺体を接触させたときに、前記相手側機器のアンテナに対して略平行になるように配置されていることを特徴とする。
【発明の詳細な説明】
【技術分野】
【０００１】
本発明は、アンテナを備えた電子機器に関するものである。
【背景技術】
【０００２】
新しい近接無線転送技術として、通信したい電子機器同士を接近させるだけで、大容量のデータを高速で転送することができる近距離通信技術が提案されている（例えば、特許文献１参照）。
【先行技術文献】
【特許文献】
【０００３】
【特許文献１】特開２００８−１５４２６７号公報
【発明の概要】
【発明が解決しようとする課題】
【０００４】
近距離通信技術では、機器同士の通信距離が極めて短いため、安定したデータ転送を行うには、ユーザの持つ電子機器のアンテナが、相手側電子機器のアンテナに対して正しい位置と距離で近接するという要件を満たす必要がある。
【０００５】
一方、上記近距離通信の機能をカメラに適用した場合は、アンテナをカメラの液晶モニタの反対側に配置することが望ましい。これは、ユーザがカメラの前面側を相手側電子機器に近接させたときに、ユーザがカメラの背面（自分側）に配置された液晶モニタの表示内容を見ることができるからである。
【０００６】
しかしながら、一般的なカメラの前面にはレンズなどの突起部がある。このため、データ転送に際して、カメラの前面側を下向きにして相手側電子機器の通信面に置くような使い方をした場合は、その相手側電子機器の通信面にカメラの突起部が局部的に接触してカメラの姿勢が不安定になり、相手側電子機器のアンテナに対してカメラのアンテナを安定して向かい合わせることが難しくなることがある。このように、アンテナ同士を安定して向かい合わせることができないと、データ転送中に通信が途切れるなどの障害が発生しやすくなり、安定したデータ転送を行うことが困難となる。
【０００７】
本発明の課題は、相手側機器との間で安定したデータ転送を行うことができる電子機器を提供することにある。
【課題を解決するための手段】
【０００８】
請求項１に記載の発明は、相手側機器の通信面に接近させることにより、当該相手側機器との間でデータの送受信が可能な電子機器であって、筺体の主面側に設けられた突起部と、前記相手側機器の通信面に対して前記主面を対向させて前記筺体を接触させたときに、前記筺体が前記通信面に対して遊動しないように支持する支持部と、前記支持部に配置された、前記相手側機器との通信用のアンテナとを備えることを特徴とする。
請求項２に記載の発明は、請求項１に記載の電子機器であって、前記相手側機器の前記通信面に対して前記主面を対向させて前記筺体を接触させたときに、前記支持部により、前記筺体が前記相手側機器の前記通信面と略平行に支持されることを特徴とする。
請求項３に記載の発明は、請求項１又は２に記載の電子機器であって、前記相手側機器の前記通信面に対して前記主面を対向させて前記筺体を接触させたときに、前記支持部と前記突起部とにより前記筺体が前記通信面に対して遊動しないように支持されることを特徴とする。
請求項４に記載の発明は、請求項１乃至のいずれか一項に記載の電子機器であって、前記相手側機器の前記通信面に対して前記主面を対向させて前記筺体を接触させたときに、前記相手側機器の前記通信面と接触する領域の少なくとも一部に座面を設けたことを特徴とする。
請求項５に記載の発明は、請求項４に記載の電子機器であって、前記座面は、前記突起部と前記支持部とにそれぞれ設けられていることを特徴とする。
請求項６に記載の発明は、請求項１乃至５のいずれか一項に記載の電子機器であって、前記アンテナは、前記相手側機器の前記通信面に対して前記主面を対向させて前記筺体を接触させたときに、前記相手側機器のアンテナに対して略平行になるように配置されていることを特徴とする。
【発明の効果】
【０００９】
本発明によれば、相手側機器との間で安定したデータ転送を行うことができる電子機器を提供することができる。
【図面の簡単な説明】
【００１０】
【図１】第１実施形態に係わるカメラの概略斜視図である。
【図２】第１実施形態のカメラから相手側機器にデータ転送する場合の一例を示す側面図である。
【図３】第２実施形態に係わるカメラの概略斜視図である。
【図４】第２実施形態のカメラから相手側機器にデータ転送する場合の一例を示す側面図である。
【発明を実施するための形態】
【００１１】
以下、図面を参照して、本発明に係わる電子機器の実施形態について説明する。なお、以下に示す図１および図３には、説明と理解とを容易にするために、ＸＹＺの直交座標系を設けた。この座標系では、撮影者が光軸Ａを水平として横長の画像を撮影する場合のカメラ位置（以下、正位置という）において撮影者から見て左側に向かう方向をＸプラス方向とする。また、正位置において上側に向かう方向をＹプラス方向とする。さらに、正位置において被写体に向かう方向をＺ方向とする。
【００１２】
また、以下の実施形態では、本発明に係わる電子機器をデジタルカメラに適用した例について説明するものとする。
（第１実施形態）
【００１３】
図１は、第１実施形態に係わるカメラ１０の概略斜視図であって、カメラ１０をレンズ鏡筒１１側から見たときの概略斜視図である。
本実施形態に示すカメラ１０は、図１に示すように、レンズ鏡筒１１と、このレンズ鏡筒１１を内蔵した筐体としてのカメラボディ１２とを備えている。レンズ鏡筒１１は、図示しない複数の撮影レンズにより構成され、図示しない撮影素子ユニットの撮像面上に被写体像を結像する。
【００１４】
カメラボディ１２の上部には、電源ボタン１３、レリーズボタン１４が設けられている。レンズ鏡筒１１は、電源がオフの非撮影状態では、図１に示すように、カメラボディ１２の内部に収納された沈胴状態となる。一方、ユーザにより電源ボタン１３が操作されて電源がオンすると、図示していないが、レンズ鏡筒１１はカメラボディ１２の前面側（図１中Ｚプラス方向の側）に突出して撮影状態となる。
【００１５】
カメラボディ１２の前面側には、レンズ鏡筒１１が配置されている。カメラボディ１２の前面側は、筐体として主面側となる。すなわち、レンズ鏡筒１１は、カメラボディ１２の主面側に設けられた突起部となる。
【００１６】
また、カメラボディ１２の前面側のＸプラス方向の端部には、突起部１２Ａが設けられている。突起部１２Ａは、撮影者がカメラボディ１２を手で保持するためのカメラグリップとしての機能を備えている。また、突起部１２Ａは、後述する相手側機器２０の通信面２０Ａに対して、前面側を対向させてカメラボディ１２を接触させたときに、カメラボディ１２が通信面２０Ａに対して遊動しないように支持する支持部としての機能を備えている。
【００１７】
突起部１２Ａの内部には、アンテナ１５が配置されている。アンテナ１５は、後述する図２の相手側機器２０との間でデータを無線通信により送受信するための近距離通信用のアンテナである。アンテナ１５は、突起部１２Ａ内において、カメラボディ１２の本体に対して略平行となるように配置されている。これにより、後述するように、カメラ１０を相手側機器２０の通信面２０Ａの上に載置したときに、カメラ１０のアンテナ１５は、相手側機器２０のアンテナ２１と略平行に配置されることになる。
【００１８】
また、アンテナ１５は、カメラボディ１２内の図示しない送受信回路と接続されている。送受信回路は、近距離で接する相手側機器２０との間でデータの送受信を行う機能を備えている。例えば本実施形態の送受信回路は、相手側機器２０に対して、極めて短い通信距離（例えば３ｃｍ）でのみ通信が可能であり、相手側機器２０の通信面２０Ａにカメラ１０を接近させることにより、相手側機器２０との間でデータの送受信が可能となる。
【００１９】
一方、カメラボディ１２の前面側とは反対側となる背面側には、液晶モニタ１６が配置されている。この液晶モニタ１６は、撮像した画像や、撮影条件に関連した情報画面、データの送受信に関する情報画面などを表示するための表示装置である。
【００２０】
図２は、本実施形態のカメラ１０から相手側機器２０にデータ転送する場合の一例を示す側面図である。
【００２１】
相手側機器２０は、カメラ１０から無線通信により転送された画像データを受信し、例えばケーブルなどを介して図示しないテレビに送信する機能を備えた装置である。相手側機器２０は、上述したカメラ１０の送受信回路と同じ規格の送受信回路（図示を省略）と、アンテナ２１とを備えている。アンテナ２１は、相手側機器２０の内部であって、ユーザがカメラ１０を載置する通信面２０Ａ側に配置されている。
【００２２】
ユーザがカメラ１０の図示しないメモリカードに記録されている画像データを相手側機器２０に転送する場合は、カメラ１０を無線通信モードなどに設定したうえで、図２に示すように、カメラ１０を相手側機器２０の通信面２０Ａの上に載置する。具体的には、ユーザは、カメラ１０のアンテナ１５が配置されている前面側を、相手側機器２０のアンテナ２１が配置されている通信面２０Ａに対して下向き置くようにする。
【００２３】
すると、図２に示すように、突起部１２Ａにより、カメラボディ１２は通信面２０Ａに対して遊動しないように支持される。本実施形態では、突起部１２Ａにより、カメラボディ１２が相手側機器２０の通信面２０Ａに対して略平行に支持される。また、本実施形態のカメラボディ１２は、突起部１２Ａのみならず、レンズ鏡筒１１によっても支持されている。
【００２４】
このようにして、カメラ１０が相手側機器２０の通信面２０Ａの上に載置されると、カメラ１０のメモリカードから読み出された画像データは、カメラ１０のアンテナ１５から相手側機器２０のアンテナ２１へ転送される。この間、図２に示すように、カメラボディ１２の背面側に配置された液晶モニタ１６は、上方向（図２中Ｚマイナス方向）を向くことになる。したがって、ユーザは、データ転送中に、カメラ１０を上から覗き込むことで、その液晶モニタ１６の画面を見ることができる。
【００２５】
上述した第１実施形態によれば、以下の効果を奏する。
（１）カメラ１０を相手側機器２０の通信面２０Ａの上に載置すると、カメラボディ１２に設けられた突起部１２Ａにより、カメラボディ１２は相手側機器２０の通信面２０Ａに対して遊動しないように支持される。このため、データ転送中のカメラ１０の姿勢は安定することになり、相手側機器２０のアンテナ２１に対してカメラ１０のアンテナ１５を安定して向かい合わせることができる。したがって、データ転送中に通信が途切れるなどの障害が発生することが少なくなり、安定したデータ転送を行うことができる。
（２）カメラ１０を相手側機器２０の通信面２０Ａの上に載置すると、カメラボディ１２が相手側機器２０の通信面２０Ａに対して略平行に支持される。このため、相手側機器２０の通信面２０Ａに対して、カメラ１０の姿勢が最も安定する状態で支持することができる。
（３）カメラ１０を相手側機器２０の通信面２０Ａの上に載置したときに、カメラボディ１２に設けられた突起部１２Ａとレンズ鏡筒１１とによって、カメラボディ１２は通信面２０Ａに対して遊動しないように支持される。このため、カメラボディ１２を通信面２０Ａに対して、突起部１２Ａだけで支持する場合に比べて、カメラボディ１２をより安定して支持することができる。
（４）カメラ１０を相手側機器２０の通信面２０Ａの上に載置すると、カメラボディ１２のアンテナ１５は、相手側機器２０のアンテナ２１に対して略平行に配置されることになる。近距離通信においては、カメラ１０のアンテナ１５と相手側機器２０のアンテナ２１が所定の通信距離範囲にあり、且つアンテナ同士が平行であることが望ましい。本実施形態の構成によれば、カメラボディ１２のアンテナ１５と、相手側機器２０のアンテナ２１とが略平行に配置されることになるため、データ転送を開始した後も良好な通信品質を維持することができる。
（５）カメラボディ１２の厚みが通信距離（例えば３ｃｍ）以上あっても、突起部１２Ａの表層に近い位置にアンテナ１５を配置することより、相手側機器２０のアンテナ２１との距離を通信距離の範囲に収めることができる。したがって、カメラボディ１２の外形寸法や意匠の自由度を高めることができる。
（第２実施形態）
【００２６】
次に、第２実施形態に係わるカメラ５０について説明する。本実施形態のカメラ５０は、基本的な構成が第１実施形態のカメラ１０と同様であるため、同等部分には同一符号を付すとともに、適宜に符号と説明を省略する。
【００２７】
図３は、第２実施形態に係わるカメラ５０の概略斜視図であって、カメラ５０をレンズ鏡筒１１側から見たときの概略斜視図である。
本実施形態に示すカメラ５０では、図３に示すように、カメラボディ１２の前面側のＸプラス方向の端部に、突起部１２Ｂが設けられている。突起部１２Ｂは、第１実施形態の突起部１２Ａ（図１参照）と同様に、撮影者がカメラボディを手で保持するためのカメラグリップとしての機能を備えるとともに、相手側機器２０の通信面２０Ａに対して、前面側を対向させてカメラボディ１２を接触させたときに、カメラボディ１２が通信面２０Ａに対して遊動しないように支持する支持部としての機能を備えている。
【００２８】
また、突起部１２Ｂの上端（図３中Ｙプラス方向の端）の領域には座面５１ａが設けられ、下端（図３中Ｙマイナス方向の端）の領域には座面５１ｂが設けられている。さらに、レンズ鏡筒１１の一部の領域には、座面５１ｃが設けられている。これら座面５１ａ〜５１ｃは、カメラボディ１２を相手側機器２０の通信面２０Ａの上に載置したときに、相手側機器２０の通信面２０Ａと接触する領域に設けられている。なお、座面５１ａ〜５１ｃは、プラスチックなどの樹脂やアルミなどの金属により構成される。
【００２９】
さらに、突起部１２Ｂの内部には、第１実施形態と同様にアンテナ１５が配置されている。本実施形態のアンテナ１５は、カメラ５０が相手側機器２０の通信面２０Ａに対して下向きに置かれた場合に、相手側機器２０のアンテナ２１に対して略平行となるように配置されている。
【００３０】
図４は、本実施形態のカメラ５０から相手側機器２０にデータ転送する場合の一例を示す側面図である。
本実施形態に示すカメラ５０の突起部１２Ｂは、第１実施形態に示すカメラ１０の突起部１２Ａと比較して、厚みが薄くなっている。このように、突起部１２Ｂの厚みが薄くなるのは、例えばデザイン上の都合により生じるものである。本例においても、図４に示すように、カメラ５０を相手側機器２０の通信面２０Ａの上に載置すると、第１実施形態と同じく、カメラボディ１２に設けられた突起部１２Ｂにより、カメラボディ１２は通信面２０Ａに対して遊動しないように支持される。
【００３１】
ただし、カメラボディ１２は、第１実施形態（図２参照）のように、相手側機器２０の通信面２０Ａに対して略平行とならず、傾いたまま支持される。しかしながら、カメラボディ１２の前面側には、座面５１ａ〜５１ｃが設けられているため、カメラ５０が相手側機器２０の通信面２０Ａに対して下向きに置かれた場合に、これら座面５１ａ〜５１ｃの３点で支持されることになる。したがって、カメラボディ１２を相手側機器２０の通信面２０Ａに対して一定の傾き角で安定して支持することができる。
【００３２】
また、アンテナ１５は、カメラ５０が相手側機器２０の通信面２０Ａに対して下向きに置かれた場合に、相手側機器２０のアンテナ２１に対して略平行となるように配置されているため、カメラ５０のアンテナ１５と、相手側機器２０のアンテナ２１に対して略平行となる。すなわち、図４に示すように、両アンテナの垂直軸Ｂが一致するように配置されることになる。
【００３３】
上述した第２実施形態によれば、上述した第１実施形態の効果（１）、（３）〜（５）に加えて、さらに以下の効果を奏する。
（６）カメラボディ１２の突起部１２Ｂの厚みを薄くした場合でも、カメラボディ１２の前面側に設けた座面５１ａ〜５１ｃによって、カメラボディ１２を相手側機器２０の通信面２０Ａに対して一定の傾き角で安定して支持することができる。したがって、カメラボディ１２の外形寸法や意匠の自由度を高めることができる。
（７）カメラ５０を相手側機器２０の通信面２０Ａの上に載置したときに、カメラボディ１２の前面側に設けた座面５１ａ〜５１ｃと相手側機器２０の通信面２０Ａとが接触することになるため、繰り返し接触させた場合のカメラボディ１２の損傷を減らすことができる。
（８）カメラボディ１２の前面側に設けた座面５１ａ〜５１ｃは、ユーザがカメラ５０を保持したときの滑り止めとしても機能するため、ユーザは通常の撮影時にカメラ５０を安定して保持することができる。
（変形形態）
【００３４】
以上説明した実施形態に限定されることなく、本発明は以下に示すような種々の変形や変更が可能であり、それらも本発明の範囲内である。
（１）レンズ鏡筒１１や突起部１２Ａ（１２Ｂ）の配置位置は、カメラボディ１２の同一面側であればよく、図１または図３の配置に限定されるものではない。例えば、Ｘマイナス方向（図１では左方向）から順に、レンズ鏡筒１１、突起部１２Ａ（１２Ｂ）があってもよい。
（２）第２実施形態に示す座面５１ａ〜５１ｃを、第１実施形態のカメラ１０に設けてもよい。また、第２実施形態において、レンズ鏡筒１１の座面５１ｃのみを省略してもよいし、すべての座面を省略してもよい。さらに、第２実施形態のように、突起部１２Ｂの座面は２箇所に設ける必要はなく、例えばシート状の座面を突起部１２Ｂに設けてもよい。
（３）第２実施形態において、座面５１ａ〜５１ｃを設けることでカメラ５０を安定して支持することができれば、突起部１２Ｂはカメラボディ１２の前面側から突起していなくてもよい。
（４）第２実施形態において、カメラ５０の前面側に形成される座面５１ａ〜５１ｃは、カメラ５０が相手側機器２０の通信面２０Ａに対して下向きに置かれた場合にカメラボディ１２を安定して支持することができれば、形状、個数、配置等は適宜に変更可能である。また、座面５１ａ〜５１ｃは、カメラボディ１２とは異なる別部品であってもよいし、カメラボディ１２の一部を突起させたものでもよい。
（５）上記実施形態１，２では、カメラのアンテナ１５が配置されている前面側を、相手側機器２０のアンテナ２１が配置されている通信面２０Ａに対して下向き置く例について示したが、カメラのアンテナ１５を相手側機器２０の通信面２０Ａに接触させる方向はこれに限定されるものではない。例えば、相手側機器２０の通信面２０Ａが垂直方向にあり、ユーザがカメラを保持したまま通信面２０Ａに接触させる場合においても、ユーザは、カメラボディ１２を相手側機器２０の通信面２０Ａに押し当てるだけで、カメラボディ１２を相手側機器２０の通信面２０Ａに対して遊動しないように支持することができる。
（６）上記実施形態１，２では、本発明に係わる電子機器を、カメラに適用した例について説明したが、本発明はこれに限らず、ビデオカメラ、携帯型ナビゲーション装置、ポータブルゲーム機のほか、電子辞書や電子手帳などの表示装置を備えた電子機器一般に適用することができる。
【００３５】
また、上記実施形態及び変形形態は適宜に組み合わせて用いることができるが、各実施形態の構成は図示と説明により明らかであるため、詳細な説明を省略する。さらに、本発明は以上説明した実施形態によって限定されることはない。
【符号の説明】
【００３６】
１０，５０：カメラ、１１：レンズ鏡筒、１２Ａ，１２Ｂ：突起部、１５：アンテナ、１６：液晶モニタ、２０：相手側機器、２０Ａ：通信面、２０Ａ：アンテナ、５１ａ〜５１ｃ：座面
【図１】
2011114771.tif 000003
【図２】
2011114771.tif 000004
【図３】
2011114771.tif 000005
【図４】
2011114771.tif 000006